(57)【要約】【課題】レンズの光軸方向および主走査方向への移動を抑制する。【解決手段】光走査装置は、光ビームが通過するレンズ（ｆθレンズ５４）と、レンズを支持する筐体５０とを備えている。レンズは、互いに対向する長尺状の一対のレンズ面５４Ｄ，５４Ｅを有するレンズ部５４Ａと、フランジ部５４Ｂの光軸方向を向く面の一方に設けられた第１位置決め部１１０と、リブ部５４Ｃの側面５４Ｆから突出するように設けられた第２位置決め部１２０とを有している。筐体５０は、第１位置決め部１１０に当接する２つの第１当接部１３０と、第２位置決め部１２０に対して２箇所で当接する第２当接部１４０とを有している。第２位置決め部１２０と第２当接部１４０は、２箇所の接点Ｃ１，Ｃ２が長手方向において第２位置決め部１２０を挟んでおり、レンズを第１当接部１３０に向けて押すように第２当接部１４０が第２位置決め部１２０を押圧した状態で当接する。【選択図】図６
2011215312.tif 000002
【特許請求の範囲】
【請求項１】
光源と、前記光源からの光ビームを主走査方向に偏向および走査させる偏向器と、前記偏向器で偏向および走査された光ビームが通過するレンズと、前記レンズを支持する筐体とを備えた光走査装置であって、
前記レンズは、互いに対向する長尺状の一対の長尺面を有し、少なくとも一方がレンズ特性を有するレンズ面であるレンズ部と、前記レンズ部の長手方向における両端部に設けられたフランジ部と、前記フランジ部の光軸方向を向く面の一方に設けられた第１位置決め部と、前記一対の長尺面に対して副走査方向にずれた位置に設けられた第２位置決め部とを有し、
前記筐体は、前記第１位置決め部に当接する２つの第１当接部と、前記レンズの長手方向における前記２つの第１当接部の間に設けられ、前記第２位置決め部に対して２箇所で当接する第２当接部とを有し、
前記第２位置決め部と前記第２当接部は、前記２箇所の接点が長手方向において前記第２位置決め部または前記第２当接部を挟んでおり、前記レンズを前記第１当接部に向けて押すように一方が他方を押圧した状態で当接することを特徴とする光走査装置。
【請求項２】
前記第２位置決め部は、前記レンズの長手方向における中心部に設けられたことを特徴とする請求項１に記載の光走査装置。
【請求項３】
前記第２位置決め部および前記第２当接部のうち、一方は、光軸方向に向けて先細る形状をなす２つの傾斜面を有し、他方は、２つ設けられて、前記２つの傾斜面を挟むように当接することを特徴とする請求項１または請求項２に記載の光走査装置。
【請求項４】
前記第２位置決め部および前記第２当接部のうち、一方は、光軸方向に向けて先細る形状をなすＶ字状の溝を有し、他方は、前記溝に入り込んで２箇所で当接することを特徴とする請求項１または請求項２に記載の光走査装置。
【請求項５】
前記第２位置決め部および前記第２当接部のうち、一方は、円柱状をなしており、他方は、円柱状をなし、２つ設けられて互いの間隔が前記一方の直径よりも小さいことを特徴とする請求項１または請求項２に記載の光走査装置。
【発明の詳細な説明】
【技術分野】
【０００１】
本発明は、光走査装置に関する。
【背景技術】
【０００２】
一般に、レーザプリンタなどの画像形成装置には、感光体の表面を露光する光走査装置が設けられている。このような光走査装置としては、例えば、特許文献１に示すように、光源（半導体レーザ）と、レーザ光を偏向・走査させる偏向器（回転多面鏡）と、偏向・走査されたレーザ光が通過する長尺状のレンズ（ｆシータレンズ）と、レンズなどを支持する筐体（光学箱）とを備えたものが知られている。
【先行技術文献】
【特許文献】
【０００３】
【特許文献１】特開平１１−１８３８１９号公報
【発明の概要】
【発明が解決しようとする課題】
【０００４】
ところで、光走査装置において、レーザ光を感光体などの被走査面上で精度よく走査するためには、筐体に対するレンズの位置精度が重要となる。特に、長尺状のレンズがその光軸方向や長手方向（主走査方向）にずれて（移動して）しまうと、レーザ光を被走査面上で精度よく走査することが困難となる。
【０００５】
本発明は、以上のような背景に鑑みてなされたものであり、レンズの光軸方向および主走査方向への移動を抑制することができる光走査装置を提供することを目的とする。
【課題を解決するための手段】
【０００６】
前記した目的を達成するため、本発明の光走査装置は、光源と、前記光源からの光ビームを主走査方向に偏向および走査させる偏向器と、前記偏向器で偏向および走査された光ビームが通過するレンズと、前記レンズを支持する筐体とを備えた光走査装置であって、前記レンズは、互いに対向する長尺状の一対の長尺面を有し、少なくとも一方がレンズ特性を有するレンズ面であるレンズ部と、前記レンズ部の長手方向における両端部に設けられたフランジ部と、前記フランジ部の光軸方向を向く面の一方に設けられた第１位置決め部と、前記一対の長尺面に対して副走査方向にずれた位置に設けられた第２位置決め部とを有し、前記筐体は、前記第１位置決め部に当接する２つの第１当接部と、前記レンズの長手方向における前記２つの第１当接部の間に設けられ、前記第２位置決め部に対して２箇所で当接する第２当接部とを有し、前記第２位置決め部と前記第２当接部は、前記２箇所の接点が長手方向において前記第２位置決め部または前記第２当接部を挟んでおり、前記レンズを前記第１当接部に向けて押すように一方が他方を押圧した状態で当接することを特徴とする。
【０００７】
このように構成された光走査装置によれば、レンズの第２位置決め部と筐体の第２当接部は、２箇所の接点が長手方向において第２位置決め部または第２当接部を挟んでいるので、レンズの主走査方向への移動を抑制することができる。また、第２位置決め部と第２当接部は、レンズを第１当接部に向けて押すように一方が他方を押圧した状態で当接するので、レンズの光軸方向への移動を抑制することができる。
【発明の効果】
【０００８】
本発明によれば、レンズの第２位置決め部と筐体の第２当接部は、２箇所の接点が長手方向において第２位置決め部または第２当接部を挟んでおり、レンズを第１当接部に向けて押すように一方が他方を押圧した状態で当接するので、レンズの光軸方向および主走査方向への移動を抑制することができる。
【図面の簡単な説明】
【０００９】
【図１】本発明の第１実施形態に係る光走査装置を備えたレーザプリンタの概略構成を示す図である。
【図２】第１実施形態に係る光走査装置の平面図である。
【図３】第１実施形態に係る光走査装置の断面図である。
【図４】ｆθレンズの斜視図である。
【図５】ベースフレームの要部の構成を示す斜視図である。
【図６】ｆθレンズをベースフレームに組み付けたときの平面図（ａ）と、そのときの第２位置決め部と第２当接部を示す拡大図（ｂ）である。
【図７】第２実施形態の第２位置決め部と第２当接部を説明するための図であり、ｆθレンズをベースフレームに組み付けたときの平面図（ａ）と、そのときの第２位置決め部と第２当接部を示す拡大図（ｂ）である。
【図８】第３実施形態の第２位置決め部と第２当接部を説明するための図であり、ｆθレンズをベースフレームに組み付けたときの平面図（ａ）と、そのときの第２位置決め部と第２当接部を示す拡大図（ｂ）である。
【発明を実施するための形態】
【００１０】
［第１実施形態］
次に、本発明の第１実施形態について、適宜図面を参照しながら詳細に説明する。なお、以下の説明では、まず、本実施形態に係る光走査装置を備えた画像形成装置の概略構成について説明した後、光走査装置の詳細な構成について説明する。
【００１１】
＜レーザプリンタの概略構成＞
図１に示すように、レーザプリンタ１（画像形成装置）は、本体ケーシング２内に、用紙Ｓを給紙するための給紙部３と、用紙Ｓに画像を形成する画像形成部４とを主に備えている。
【００１２】
ここで、レーザプリンタ１の概略構成の説明において、方向は、レーザプリンタ１を使用するユーザを基準にした方向で説明する。すなわち、図１における右側を「前」、左側を「後」とし、手前側を「左」、奥側を「右」とする。また、図１における上下方向を「上下」とする。
【００１３】
給紙部３は、本体ケーシング２内の下部に設けられ、給紙トレイ３１と、用紙押圧板３２と、給紙機構３３とを主に備えている。給紙トレイ３１に収容された用紙Ｓは、用紙押圧板３２によって上方に寄せられ、給紙機構３３によって画像形成部４に供給される。
【００１４】
画像形成部４は、光走査装置５と、プロセスカートリッジ６と、定着装置７とから主に構成されている。
【００１５】
光走査装置５は、本体ケーシング２内の上部に配置され、画像データに基づくレーザ光（鎖線参照）を出射し、感光体ドラム６１の表面を露光して静電潜像を形成するように構成されている。光走査装置５の詳細な構成については後述する。
【００１６】
プロセスカートリッジ６は、光走査装置５の下方に配置され、本体ケーシング２に設けられたフロントカバー（符号省略）を開いたときにできる開口から本体ケーシング２に対して着脱可能に装着される構成となっている。このプロセスカートリッジ６は、感光体ドラム６１と、帯電器６２と、転写ローラ６３と、現像ローラ６４と、層厚規制ブレード６５と、供給ローラ６６と、トナー（現像剤）を収容するトナー収容部６７とを主に備えている。
【００１７】
プロセスカートリッジ６では、感光体ドラム６１の表面が、帯電器６２により一様に帯電された後、光走査装置５からのレーザ光によって露光されることで、感光体ドラム６１上に画像データに基づく静電潜像が形成される。また、トナー収容部６７内のトナーは、供給ローラ６６を介して現像ローラ６４に供給され、現像ローラ６４と層厚規制ブレード６５との間に進入して一定厚さの薄層として現像ローラ６４上に担持される。
【００１８】
現像ローラ６４上に担持されたトナーは、現像ローラ６４から感光体ドラム６１上に形成された静電潜像に供給される。これにより、静電潜像が可視像化され、感光体ドラム６１上にトナー像が形成される。その後、感光体ドラム６１と転写ローラ６３との間を用紙Ｓが搬送されることで感光体ドラム６１上のトナー像が用紙Ｓ上に転写される。
【００１９】
定着装置７は、プロセスカートリッジ６の後方に設けられ、加熱ローラ７１と、加熱ローラ７１と対向配置されて加熱ローラ７１を押圧する加圧ローラ７２とを主に備えている。この定着装置７では、用紙Ｓ上に転写されたトナー像を、用紙Ｓが加熱ローラ７１と加圧ローラ７２との間を通過する間に熱定着させる。トナー像が熱定着された用紙Ｓは、搬送ローラ７３によって搬送経路２３を搬送され、搬送経路２３から排出ローラ２４によって排紙トレイ２２上に排出される。
【００２０】
＜光走査装置の詳細構成＞
次に、光走査装置５の詳細な構成について説明する。なお、以下の説明においては、光源装置５１から出射されるレーザ光の進行方向の下流側を単に「下流側」という。
【００２１】
図２，３に示すように、光走査装置５は、筐体５０内に、光源装置５１と、偏向器の一例としてのポリゴンミラー５２と、ポリゴンモータ５３と、レンズの一例としてのｆθレンズ５４と、反射鏡５５と、シリンドリカルレンズ５６とを主に備えている。
【００２２】
光源装置５１は、レーザ光（光ビーム）を出射する光源の一例としての半導体レーザ光源５１Ａや、半導体レーザ光源５１Ａから出射されたレーザ光を集光させて平行な光束に変換するカップリングレンズ５１Ｂなどを備えて構成された公知の装置である。
【００２３】
ポリゴンミラー５２は、光源装置５１の下流側に配置されており、六角柱の６つの側面が反射面となっている。このポリゴンミラー５２は、高速回転しながら光源装置５１からのレーザ光を反射して主走査方向（図２の略左右方向）に偏向および等角速度で走査させる。ポリゴンモータ５３は、ポリゴンミラー５２を回転駆動するための公知のモータである。
【００２４】
ｆθレンズ５４は、ポリゴンミラー５２の下流側に配置されており、ポリゴンミラー５２で偏向および走査されたレーザ光が通過する走査レンズである。このｆθレンズ５４は、ポリゴンミラー５２により等角速度で走査されたレーザ光を等速度で走査するように変換する。
【００２５】
図４，５に示すように、ｆθレンズ５４は、レンズ部５４Ａと、一対のフランジ部５４Ｂと、一対のリブ部５４Ｃと、一対の第１位置決め部１１０と、第２位置決め部１２０とを主に有している。
【００２６】
レンズ部５４Ａは、レーザ光が通過する部分であり、互いに対向する主走査方向に長い長尺状の一対の長尺面（２つのレンズ面５４Ｄ，５４Ｅ）を有している。この一対の長尺面は、両方がレンズ特性、具体的には、等角速度で走査されたレーザ光を感光体ドラム６１の表面（被走査面）上に集光し、かつ、等速度で走査するように変換する機能を有するレンズ面５４Ｄ，５４Ｅとなっている。
【００２７】
フランジ部５４Ｂは、レンズ部５４Ａの長手方向における両端部から長手方向外側に向けて延びるように設けられている。
【００２８】
リブ部５４Ｃは、レンズ部５４Ａ（レンズ面５４Ｄ側の部分）とフランジ部５４Ｂから副走査方向外側に向けて突出し、長手方向（主走査方向）に沿って延びるように設けられている。
【００２９】
第１位置決め部１１０は、フランジ部５４Ｂの光軸方向を向く面の一方、具体的には、フランジ部５４Ｂの光軸方向に直交する平面のうち、レンズ面５４Ｅ側の面から光軸方向外側に向けて突出するように設けられている。この第１位置決め部１１０は、円形の頂面を有する略円柱状に形成されており、ｆθレンズ５４が筐体５０に組み付けられたときに、その頂面が後述する第１当接部１３０に当接する（図２参照）。
【００３０】
第２位置決め部１２０は、２つのレンズ面５４Ｄ，５４Ｅ（一対の長尺面）に対して副走査方向（主走査方向および光軸方向に直交する方向）にずれた位置（光軸方向から見てレンズ面５４Ｄ，５４Ｅと重ならない位置）、具体的には、リブ部５４Ｃ（ｆθレンズ５４）の側面５４Ｆから副走査方向外側に向けて突出するように設けられている。さらに述べると、第２位置決め部１２０は、側面５４Ｆ（ｆθレンズ５４）の長手方向における中心部のレンズ面５４Ｅ側に設けられている。
【００３１】
この第２位置決め部１２０は、三角形の頂面を有する略三角柱状に形成されている。より詳細に、第２位置決め部１２０は、図６（ａ），（ｂ）に示すように、リブ部５４Ｃのレンズ面５４Ｅ側の端面に沿うように主走査方向に延びる面１２３と、面１２３の主走査方向における両端部からレンズ面５４Ｄ側、かつ、鎖線で示すｆθレンズ５４の光軸に向けて延びる２つの傾斜面１２１，１２２とを有する略三角柱状をなしている。このような構成により、２つの傾斜面１２１，１２２は、副走査方向から見て、光軸方向、具体的には、レンズ面５４Ｄ側に向けて先細るＶ字形状をなしている。
【００３２】
なお、本実施形態では、第２位置決め部１２０がｆθレンズ５４の一対の側面５４Ｆの両方（図５参照）に設けられている構成を示すが、これに限定されず、例えば、ｆθレンズ５４の一対の側面５４Ｆのうちの一方にだけ設けられている構成としてもよい。
【００３３】
図２，３に戻り、反射鏡５５は、ｆθレンズ５４の下流側に配置されており、ｆθレンズ５４を通過したレーザ光を反射してその光路を折り返すことで、レーザ光をシリンドリカルレンズ５６に向けるものである。
【００３４】
シリンドリカルレンズ５６は、反射鏡５５の下流側に配置されており、反射鏡５５で反射されたレーザ光が通過する走査レンズである。このシリンドリカルレンズ５６は、レーザ光を屈折させて副走査方向に収束させる。
【００３５】
光走査装置５では、光源装置５１から出射された画像データに基づくレーザ光（鎖線参照）が、ポリゴンミラー５２、ｆθレンズ５４、反射鏡５５およびシリンドリカルレンズ５６の順に反射または通過して、感光体ドラム６１（図１参照）の表面（被走査面）で高速走査される。これにより、感光体ドラム６１の表面が露光され、感光体ドラム６１上に画像データに基づく静電潜像が形成される。
【００３６】
筐体５０は、光源装置５１やｆθレンズ５４などを支持する略箱状の部材である。より詳細に、筐体５０は、上部（図３における上部）が開放された箱状（器状）のベースフレーム５０Ａと、ベースフレーム５０Ａの開放された部分を覆うように取り付けられる蓋フレーム５０Ｂとを有している。
【００３７】
図５に示すように、ベースフレーム５０Ａは、箱（器）の底壁５０Ｃに、第１当接部１３０と、第２当接部１４０と、板バネ部１５０とを主に有している。
【００３８】
第１当接部１３０は、底壁５０Ｃから図示上方に向けて突出するように設けられている。より詳細に、第１当接部１３０は、ベースフレーム５０Ａ（筐体５０）に組み付けられたｆθレンズ５４の第１位置決め部１１０に当接する位置に１つずつ（合計２つ）設けられている（図２参照）。
【００３９】
第２当接部１４０は、底壁５０Ｃから図示上方に向けて突出するピン状（略円柱状）の部位であり、ｆθレンズ５４の長手方向（第１当接部１３０が並ぶ方向）における２つの第１当接部１３０の間に２つ設けられている。
【００４０】
図６（ａ），（ｂ）に示すように、２つの第２当接部１４０は、ｆθレンズ５４が筐体５０に組み付けられたときに、第２位置決め部１２０に対して、曲面のうち２箇所（１箇所ずつ）で当接する。より詳細に、第２当接部１４０は、ｆθレンズ５４の長手方向において、第２位置決め部１２０の２つの傾斜面１２１，１２２を挟むように当接する。これにより、第２位置決め部１２０と２つの第２当接部１４０は、２箇所の接点Ｃ１，Ｃ２が長手方向において第２位置決め部１２０を挟んでいる。
【００４１】
この第２当接部１４０は、弾性変形可能、具体的には、ｆθレンズ５４が組み付けられたときに白抜きの矢印の方向に弾性的に撓むように設けられている。これにより、第２当接部１４０は、筐体５０にｆθレンズ５４を組み付けることで白抜きの矢印の方向に撓み、復元力（元の形状に戻ろうとする力）によって第２位置決め部１２０を太い矢印の方向に押圧する。
【００４２】
第２当接部１４０が第２位置決め部１２０を押圧する力は、第２位置決め部１２０（ｆθレンズ５４）をレンズ面５４Ｅ側に向けて押圧する力として作用する。したがって、第２位置決め部１２０と２つの第２当接部１４０は、第１位置決め部１１０（ｆθレンズ５４）を第１当接部１３０に向けて押すように第２当接部１４０が第２位置決め部１２０を押圧した状態で当接する。
【００４３】
なお、第２当接部１４０は、ベースフレーム５０Ａ（筐体５０）と一体成形されていてもよいし、底壁５０Ｃに差し込むなどしてベースフレーム５０Ａ（筐体５０）に取り付ける部材であってもよい。
【００４４】
板バネ部１５０は、第１当接部１３０との間でｆθレンズ５４の長手方向における両端部（フランジ部５４Ｂおよび第１位置決め部１１０）を挟持するとともに、ｆθレンズ５４を第１当接部１３０に向けて付勢する部位である。ｆθレンズ５４は、長手方向における両端部が第１当接部１３０と板バネ部１５０とによって挟持されることで、ベースフレーム５０Ａ（筐体５０）に支持されている。
【００４５】
以上によれば、本実施形態において以下のような作用効果を得ることができる。
ｆθレンズ５４の第２位置決め部１２０と筐体５０の第２当接部１４０は、２箇所の接点Ｃ１，Ｃ２が長手方向において第２位置決め部１２０を挟んでいるので、ｆθレンズ５４の主走査方向への移動を抑制することができる。また、第２位置決め部１２０と第２当接部１４０は、ｆθレンズ５４を第１当接部１３０に向けて押すように第２当接部１４０が第２位置決め部１２０を押圧した状態で当接するので、ｆθレンズ５４の光軸方向への移動を抑制することができる。
【００４６】
また、本実施形態において、第２当接部１４０が第２位置決め部１２０を押圧する力（図６（ｂ）の太い矢印参照）は、長手方向において２つの第２当接部１４０が第２位置決め部１２０を押圧する力としても作用する。このような構成により、第２当接部１４０が第２位置決め部１２０を挟んでいるだけの構成（押圧していない構成）と比較して、第２位置決め部１２０（ｆθレンズ５４）の主走査方向への移動をより確実に抑制することができる。
【００４７】
第２位置決め部１２０は、ｆθレンズ５４の長手方向（主走査方向）における中心部に設けられているので、略均一な力で各第１位置決め部１１０を対応する第１当接部１３０に向けて押圧することができる。これにより、ｆθレンズ５４の光軸方向への移動をより確実に抑制することができる。また、各第１位置決め部１１０を対応する第１当接部１３０に向けて押圧する力が略均一になることで、第２位置決め部１２０を安定して挟持することができるので、ｆθレンズ５４の主走査方向への移動もより確実に抑制することができる。さらに、第２位置決め部１２０が長手方向における中心部に設けられていることで、温度変化によるｆθレンズ５４（特に光軸）の位置ずれを抑制することができる。
【００４８】
第２位置決め部１２０が、光軸方向に向けて先細るＶ字形状をなす２つの傾斜面１２１，１２２を有し、２つの第２当接部１４０が、２つの傾斜面１２１，１２２を挟むように当接するので、第２当接部１４０が第２位置決め部１２０を押圧する力（図６（ｂ）の太い矢印参照）を、ｆθレンズ５４を第１当接部１３０に向けて押す力と、長手方向において２つの第２当接部１４０が第２位置決め部１２０を押圧する力として利用することができる。これにより、ｆθレンズ５４の光軸方向および主走査方向への移動をより確実に抑制することができる。
【００４９】
なお、本実施形態では、第２位置決め部１２０が、２つの傾斜面１２１，１２２を有し、第２当接部１４０が、２つ設けられて、２つの傾斜面１２１，１２２を挟むように当接する構成を例示したが、これに限定されるものではない。すなわち、第２当接部が、光軸方向に向けて先細る形状をなす２つの傾斜面を有し、第２位置決め部が、２つ設けられて、２つの傾斜面を挟むように当接する構成としてもよい。この場合、２箇所の接点は、長手方向において第２当接部を挟むこととなる。
【００５０】
［第２実施形態］
次に、本発明の第２実施形態について説明する。なお、以下説明する実施形態では、前記の実施形態と同様の構成要素については、同一符号を付して、その説明を省略することとする。
【００５１】
図７（ａ）に示すように、本実施形態のｆθレンズ５４は、２つのレンズ面５４Ｄ，５４Ｅを有するレンズ部５４Ａと、一対のフランジ部５４Ｂと、一対のリブ部５４Ｃと、一対の第１位置決め部１１０と、第２位置決め部２２０とを主に有している。
【００５２】
第２位置決め部２２０は、２つのレンズ面５４Ｄ，５４Ｅに対して副走査方向にずれた位置、具体的には、リブ部５４Ｃの長手方向における中心部に設けられている。この第２位置決め部２２０は、リブ部５４Ｃの長手方向における中心部のレンズ面５４Ｄ側の端面を切り欠くように設けられた平面視Ｖ字状の溝２２１を有している。溝２２１は、光軸方向、具体的には、レンズ面５４Ｅ側に向けて先細るＶ字形状をなしている。
【００５３】
本実施形態のベースフレーム５０Ａ（筐体５０）は、底壁５０Ｃに、２つの第１当接部１３０と、１つの第２当接部２４０と、２つの板バネ部１５０とを主に有している。
【００５４】
第２当接部２４０は、底壁５０Ｃから突出する円柱状の部位であり、ｆθレンズ５４の長手方向における２つの第１当接部１３０の間に設けられている。この第２当接部２４０は、ｆθレンズ５４が筐体５０に組み付けられたときに、ｆθレンズ５４に設けられた溝２２１に入り込んで、溝２２１の内面（第２位置決め部２２０）に対して、曲面のうち２箇所で当接する。
【００５５】
また、第２当接部２４０は、ｆθレンズ５４が組み付けられたときに、図７（ｂ）に示す白抜きの矢印の方向に弾性的に撓むように設けられている。これにより、第２当接部２４０は、筐体５０にｆθレンズ５４を組み付けることで白抜きの矢印の方向に撓み、復元力によって第２位置決め部２２０を太い矢印の方向に押圧する。
【００５６】
このような構成によれば、第２位置決め部２２０と第２当接部２４０は、ｆθレンズ５４を第１当接部１３０に向けて押すように第２当接部２４０が第２位置決め部２２０を押圧した状態で当接するので、ｆθレンズ５４の光軸方向への移動を抑制することができる。また、第２位置決め部２２０と第２当接部２４０は、２箇所の接点Ｃ１，Ｃ２が長手方向において第２当接部２４０を挟んでいるので、ｆθレンズ５４の主走査方向への移動を抑制することができる。
【００５７】
なお、第２当接部２４０は、筐体５０と一体成形されていてもよいし、底壁５０Ｃに差し込むなどして筐体５０に取り付ける部材であってもよい。
【００５８】
また、本実施形態では、第２位置決め部２２０が、Ｖ字状の溝２２１を有し、第２当接部２４０が、溝２２１に入り込んで２箇所で当接する構成を例示したが、これに限定されるものではない。すなわち、第２当接部が、光軸方向に向けて先細る形状をなすＶ字状の溝を有し、第２位置決め部が、溝に入り込んで２箇所で当接する構成としてもよい。この場合、２箇所の接点は、長手方向において第２位置決め部を挟むこととなる。
【００５９】
［第３実施形態］
次に、本発明の第３実施形態について説明する。
図８（ａ）に示すように、本実施形態のｆθレンズ５４は、２つのレンズ面５４Ｄ，５４Ｅを有するレンズ部５４Ａと、一対のフランジ部５４Ｂと、一対のリブ部５４Ｃと、一対の第１位置決め部１１０と、第２位置決め部３２０とを主に有している。
【００６０】
第２位置決め部３２０は、円柱状をなしており、前記した第１実施形態の第２位置決め部１２０と同様に、２つのレンズ面５４Ｄ，５４Ｅに対して副走査方向にずれた位置、具体的には、リブ部５４Ｃ（ｆθレンズ５４）の側面５４Ｆの長手方向における中心部から副走査方向外側に向けて突出するように設けられている。
【００６１】
本実施形態のベースフレーム５０Ａ（筐体５０）は、底壁５０Ｃに、第１当接部１３０と、第２当接部３４０と、板バネ部１５０とを主に有している。
【００６２】
第２当接部３４０は、底壁５０Ｃから突出するピン状の部位であり、ｆθレンズ５４の長手方向における２つの第１当接部１３０の間に２つ設けられている。図８（ｂ）に示すように、２つの第２当接部３４０は、円柱状をなしており、互いの間隔Ｄ１が第２位置決め部３２０の直径Ｄ２よりも小さくなるように配置されている。これにより、第２当接部３４０は、ｆθレンズ５４が筐体５０に組み付けられたときに、第２位置決め部３２０（レンズ面５４Ｄ寄りの部位）を挟むように当接する。
【００６３】
また、第２当接部３４０は、前記した第１実施形態の第２当接部１４０と同様に、ｆθレンズ５４が組み付けられたときに白抜きの矢印の方向に弾性的に撓むように設けられている。これにより、第２当接部３４０は、筐体５０にｆθレンズ５４を組み付けることで白抜きの矢印の方向に撓み、復元力によって第２位置決め部３２０を太い矢印の方向に押圧する。
【００６４】
このような構成によれば、第２位置決め部３２０と２つの第２当接部３４０は、ｆθレンズ５４を第１当接部１３０に向けて押すように第２当接部３４０が第２位置決め部３２０を押圧した状態で当接するので、ｆθレンズ５４の光軸方向への移動を抑制することができる。また、第２位置決め部３２０と２つの第２当接部３４０は、２箇所の接点Ｃ１，Ｃ２が長手方向において第２位置決め部３２０を挟んでいるので、ｆθレンズ５４の主走査方向への移動を抑制することができる。
【００６５】
なお、第２当接部３４０は、筐体５０と一体成形されていてもよいし、底壁５０Ｃに差し込むなどして筐体５０に取り付ける部材であってもよい。
【００６６】
また、本実施形態では、第２位置決め部３２０が、円柱状をなしており、第２当接部３４０が、円柱状をなし、２つ設けられて互いの間隔Ｄ１が第２位置決め部３２０の直径Ｄ２よりも小さい構成を例示したが、これに限定されるものではない。すなわち、１つの第２当接部が、円柱状をなしており、第２位置決め部が、円柱状をなし、２つ設けられて互いの間隔が第２当接部の直径よりも小さい構成としてもよい。この場合、２箇所の接点は、長手方向において第２当接部を挟むこととなる。
【００６７】
以上、本発明の実施形態について説明したが、本発明は前記実施形態に限定されるものではない。具体的な構成については、本発明の趣旨を逸脱しない範囲で適宜変更が可能である。
【００６８】
前記実施形態では、ｆθレンズ５４（レンズ）を第１当接部１３０に向けて押すように第２当接部１４０，２４０，３４０が第２位置決め部１２０，２２０，３２０を押圧した状態で当接する構成を例示したが、これに限定されるものではない。すなわち、レンズを第１当接部に向けて押すように当接する構成であれば、第２位置決め部が第２当接部を押圧した状態で当接する構成であってもよい。
【００６９】
前記実施形態では、第２当接部１４０，２４０，３４０自体を弾性変形可能に設けることで、ｆθレンズ５４（レンズ）を第１当接部１３０に向けて押す構成を実現したが、これに限定されるものではない。例えば、第２当接部を筐体に対して光軸方向にスライド移動可能に設け、コイルバネや板バネなどの付勢部材で光軸方向一方側に向けて付勢する構成としてもよい。このとき、付勢部材は、筐体にレンズを組み付けて、第２位置決め部と第２当接部が当接したときに、弾性変形する（例えば、押し縮められたり、撓んだりする）ように配設する。これによれば、筐体にレンズを組み付けたときに、レンズを第１当接部に向けて押す構成を実現することができる。
【００７０】
前記実施形態では、第２位置決め部１２０，２２０，３２０が、副走査方向から見てレンズ部５４Ａと重なる位置に設けられた構成（図６〜８参照）を例示したが、これに限定されるものではない。すなわち、第２位置決め部は、一対の長尺面に対して副走査方向にずれた位置（光軸方向から見て一対の長尺面と重ならない位置）に設けられていれば、配設位置は特に限定されるものではない。例えば、リブ部５４Ｃのレンズ面５４Ｄ側の面から光軸方向外側に向けて延出させた部位（副走査方向から見てレンズ部５４Ａと重ならない位置）に第２位置決め部を設けてもよい。
【００７１】
前記実施形態では、第２位置決め部１２０，２２０，３２０が、ｆθレンズ５４（レンズ）の長手方向における中心部に設けられた構成を例示したが、これに限定されず、例えば、長手方向における端部に設けてもよい。
【００７２】
前記実施形態では、第１位置決め部１１０が、フランジ部５４Ｂの光軸方向を向く面のうち、レンズ面５４Ｅ側の面に設けられた構成を例示したが、これに限定されず、レンズ面５４Ｄ側の面に設けられていてもよい。また、第１位置決め部の形状は、円柱状に限定されず、例えば、三角柱状や四角柱状などであってもよい。さらに、第１位置決め部は、突出する柱状に限定されず、例えば、フランジ部の光軸方向を向く面（光軸方向に直交する面）自体であってもよい。
【００７３】
前記実施形態では、筐体５０に板バネ部１５０が設けられた構成を例示したが、これに限定されず、例えば、板バネ部１５０を設けない構成としてもよい。また、第１当接部をレンズ（フランジ部）を挟持するクリップ状に形成してもよい。
【００７４】
前記実施形態では、光源として半導体レーザ光源５１Ａを例示したが、これに限定されず、例えば、ＹＡＧレーザなどの固体レーザ光源を採用してもよい。
【００７５】
前記実施形態では、偏向器として、反射面が回転することでレーザ光（光ビーム）を偏向および走査するポリゴンミラー５２を例示したが、これに限定されず、例えば、反射面が揺動することで光ビームを偏向および走査する振動ミラーなどを採用してもよい。
【００７６】
前記実施形態では、レンズとしてｆθレンズ５４を例示したが、これに限定されるものではない。すなわち、本発明のレンズは、筐体に支持されるレンズであれば特に限定されず、例えば、シリンドリカルレンズなどであってもよい。
【００７７】
なお、前記実施形態では、レンズ部５４Ａの長尺状の一対の長尺面のうち、両方がレンズ特性を有するレンズ面５４Ｄ，５４Ｅであるｆθレンズ５４（レンズ）を例示したが、これに限定されるものではない。すなわち、レンズは、長尺状の一対の長尺面のうち、少なくとも一方がレンズ特性を有していればよい。例えば、長尺状の一対の長尺面のうち、一方がレンズ特性を有するレンズ面であり、他方がレンズ特性を有しない平面であってもよい。
【００７８】
前記実施形態では、画像形成装置としてレーザプリンタ１を例示したが、これに限定されず、例えば、複写機や複合機などであってもよい。また、前記実施形態では、本発明の光走査装置を画像形成装置（レーザプリンタ１）に適用した例を示したが、これに限定されず、例えば、測定装置や検査装置などに適用してもよい。
【符号の説明】
【００７９】
５      光走査装置
５０    筐体
５０Ａ  ベースフレーム
５１    光源装置
５１Ａ  半導体レーザ光源
５２    ポリゴンミラー
５４    ｆθレンズ
５４Ａ  レンズ部
５４Ｂ  フランジ部
５４Ｃ  リブ部
５４Ｄ  レンズ面
５４Ｅ  レンズ面
１１０  第１位置決め部
１２０  第２位置決め部
１２１  傾斜面
１２２  傾斜面
１３０  第１当接部
１４０  第２当接部
２２０  第２位置決め部
２２１  溝
２４０  第２当接部
３２０  第２位置決め部
３４０  第２当接部
Ｃ１    接点
Ｃ２    接点
Ｄ１    間隔
Ｄ２    直径
【図１】
2011215312.tif 000003
【図２】
2011215312.tif 000004
【図３】
2011215312.tif 000005
【図４】
2011215312.tif 000006
【図５】
2011215312.tif 000007
【図６】
2011215312.tif 000008
【図７】
2011215312.tif 000009
【図８】
2011215312.tif 000010